(57)【要約】      （修正有）【課題】カーラーを用いて前髪のウェーブを成形した後、カーラーに付着された鏡を通じてウェーブの状態を直ちに確認して手入れをすることができるようにする。【解決手段】髪の毛が巻かれる本体部２１と、前記本体部２１のいずれか一側に外部から見えるように形成される鏡部２４とを含むことを特徴とする。【選択図】図３
2019193773.tif 000002
【特許請求の範囲】
【請求項１】
髪の毛がロール状に巻かれる本体部（２１）と、前記本体部（２１）の両側面のいずれか一側の端部に外部から見えるように設置される鏡部（２４）とを含むことを特徴とする鏡付きカーラー。
【請求項２】
髪の毛がロール状に巻かれる本体部（２１）と、前記本体部（２１）の外周面に形成されて髪の毛を固定するブラシ部（２２）と、前記本体部（２１）の両側面のいずれか一側の端部に外部から見えるように設置される鏡部（２４）とを含むことを特徴とする鏡付きカーラー。
【請求項３】
貫通孔（２３）を有し、髪がロール状に巻かれる本体部（２１）と、前記本体部（２１）の貫通孔（２３）の両側面のいずれか一側の端部に外部から見えるように設置される鏡部（２４）とを含むことを特徴とする鏡付きカーラー。
【請求項４】
貫通孔（２３）を有し、髪の毛がロール状に巻かれる本体部（２１）と、前記本体部（２１）の外周面に形成されて髪の毛を固定するブラシ部（２２）と、前記本体部（２１）の貫通孔（２３）の両側面のいずれか一側の端部に外部から見えるように設置される鏡部（２４）とを含むことを特徴とする鏡付きカーラー。
【請求項５】
前記本体部（２１）は円筒状で、前記鏡部（２４）は円形であることを特徴とする請求項１〜４のいずれか一項に記載の鏡付きカーラー。
【請求項６】
前記鏡部（２４）は、本体部（２１）の両端に第１鏡部（２４）及び第２鏡部（２５）の２つが設置されることを特徴とする請求項１〜４のいずれか一項に記載の鏡付きカーラー。
【請求項７】
前記鏡部（２４）は固定部（３０）を通じて前記本体部（２１）の貫通孔（２３）に固定され、前記固定部（３０）は円形本体（３１）の内側に鏡部（２４）を安着して固定する安着溝（３２）が形成され、前記本体（３１）の枠部には複数の係止突起（３３）が形成されたことを特徴とする請求項３または４のいずれか一項に記載の鏡付きカーラー。
【発明の詳細な説明】
【技術分野】
【０００１】
本発明はヘアウェーブ用カーラーに関するもので、より詳しくは、カーラーを用いて前髪ウェーブを成形した後、カーラーに付着された鏡を通じてウェーブ状態を直ちに確認して手入れをすることができる鏡付きカーラーに関するものである。
【背景技術】
【０００２】
周知のような前髪ウェーブ用カーラーは、特に前髪をウェーブに成形する際に用いられる道具である。
【０００３】
このようなカーラーを図２を参照して説明すれば、カーラー１０は、円筒状の本体部１１と、前記本体部１１の外周面に形成されるブラシ部１２とで構成される。
【０００４】
前記本体部１１はフレキシブルな合成樹脂素材で構成され、前記ブラシ部１２は乾いた髪の毛を固定する役割を果たす。
【０００５】
このように構成されるカーラー１０は、図１に示すように、前髪を巻いて固定し、所定時間が経過した後、カーラー１０を髪から外し前髪が一定のウェーブに成形されるようにする。
【０００６】
また、使用者は、このような前髪ウェーブを成形する際に、ウェーブの成形がうまくできたかどうかを確認し、手入れのために、必ず鏡を見ることになる。
【０００７】
ところが、鏡を見るためには、鏡が設置された場所、または手鏡を持って確認しなければならない。
本発明者は、これに着案し本発明を完成するのに至った。
【先行技術文献】
【特許文献】
【０００８】
【特許文献１】韓国公開実用新案公報２０−２０１８−００００００２
【特許文献２】韓国公開特許公報１０−２０１６−００４１５７８
【特許文献３】韓国公開実用新案公報２０−２０１６−０００２７８０
【特許文献４】韓国公開特許公報１０−２０１７−０１１２７３３
【発明の概要】
【発明が解決しようとする課題】
【０００９】
本発明は、前述した背景下で案出されたもので、本発明の目的は、カーラーを用いて髪をウェーブに成形した後、カーラーに付着された鏡を通じてウェーブの状態を直ちに確認して手入れをすることができるようにした鏡付きカーラーを提供することにある。
【課題を解決するための手段】
【００１０】
このような目的を達するための本発明は、髪の毛が巻かれる本体部と、前記本体部のいずれか一側に外部から見えるように形成される鏡部とを含むことを特徴とする。
【００１１】
本発明は、髪の毛が巻かれる本体部と、前記本体部の外周面に形成されて髪の毛を固定するブラシ部と、前記本体部のいずれか一側に外部から見えるように形成される鏡部とを含むことを特徴とする。
【００１２】
本発明は、貫通孔を有し、髪の毛が巻かれる本体部と、前記本体部の貫通孔上に外部から見えるように形成される鏡部とを含むことを特徴とする。
【００１３】
本発明は、貫通孔を有し、髪の毛が巻かれる本体部と、前記本体部の外周面に形成されて髪の毛を固定するブラシ部と、前記本体部の貫通孔上に外部から見えるように形成される鏡部とを含むことを特徴とする。
【００１４】
本発明によれば、前記本体部は円筒状で、前記鏡部は円形であることを特徴とする。
【００１５】
本発明によれば、前記鏡部は本体部の両端に第１鏡部と第２鏡部の２つが設置されることを特徴とする。
【００１６】
本発明によれば、前記鏡部は固定部を通じて前記本体部の貫通孔に固定され、前記固定部は円形本体の内側に鏡部を安着して固定する安着溝が形成され、前記本体の枠部には複数の係止突起が形成されたことを特徴とする。
【発明の効果】
【００１７】
このように、本発明は、カーラーを用いて前髪のウェーブを成形した後、カーラーに付着された鏡を通じてウェーブの状態を直ちに確認して手入れをすることができるようして、使用上の利便性を提供する。
【図面の簡単な説明】
【００１８】
【図１】一般的なカーラーの使用状態図である。
【図２】従来のカーラーの構成図である。
【図３】本発明による鏡が付着されたカーラーの構成図である。
【図４】前記図３の側断面図である。
【図５】本発明の他の実施例による側断面図である。
【図６】本発明による固定部の構成図である。
【図７】本発明による鏡付きカーラーの使用状態図である。
【発明を実施するための形態】
【００１９】
以下、添付された図面を参照して、本発明の好ましい実施例についてより詳しく説明する。
【００２０】
図３は本発明による鏡付きカーラーの構成図であり、図４は前記図３の側断面図である。
【００２１】
図示したように、本発明カーラー２０は、髪の毛が巻かれる本体部２１と、前記本体部２１のいずれか一側に外部から見えるように形成される鏡部２４とを含んで構成される。
【００２２】
前記本体部２１は、円筒状が好ましく、前記鏡部２４も円形に構成されることが好ましいが、それに限定されない。
【００２３】
また、本発明のカーラー２０は、髪の毛が巻かれる本体部２１と、前記本体部２１の外周面に形成されて髪の毛を固定するブラシ部２２と、前記本体部２１のいずれか一側に外部から見えるように形成される鏡部２４とを含んで構成される。
【００２４】
前記本体部２１は円筒状が好ましく、前記鏡部２４も円形に構成されることが好ましいが、それに限定されない。
【００２５】
また、本発明のカーラー２０は、貫通孔２３を有し、髪の毛が巻かれる本体部２１と、前記本体部２１の貫通孔２３上に外部から見えるように形成される鏡部２４とを含んで構成される。
【００２６】
前記本体部２１は円筒状が好ましく、前記鏡部２４も円形に構成されることが好ましいが、それに限定されない。
【００２７】
また、本発明カーラー２０は、貫通孔２３を有し、髪の毛が巻かれる本体部２１と、前記本体部２１の外周面に形成されて髪の毛を固定するブラシ部２２と、前記本体部２１の貫通孔２３上に外部から見えるように形成される鏡部２４とを含んで構成される。
【００２８】
前記本体部２１は円筒状が好ましく、前記鏡部２４も円形に構成されることが好ましいが、それに限定されない。
【００２９】
また、本発明によれば、前記鏡部２４は、貫通孔２３のない本体部２１の場合には、いずれの一側端部の表面に付着され、前記貫通孔２３がある場合には、前記本体部２１のいずれか一側端部の貫通孔２３の内面に固設される。
【００３０】
また、本発明の他の実施例によれば、前記鏡部２４は、図５に示すように、本体部２１の貫通孔２３の両端に２つの鏡部、即ち第１鏡部２４及び第２鏡部２５で設置されることができる。
【００３１】
このように、２つの鏡部２４、２５が貫通孔２３のない本体部２１に設置される時には、前記本体部２１の両側端部の表面に付着される。
【００３２】
また、本発明によれば、前記鏡部２４は、図６に示すように、別途の固定部３０を通じて前記本体部２１の貫通孔２３に固設されることができる。
【００３３】
前記固定部３０は、図６ａに示すように、円形本体３１の内側に鏡部２４が安着固定される安着溝３２が形成され、前記本体３１の枠部には複数の係止突起３３が形成されるように構成される。
【００３４】
このように構成された固定部３０は、図６のｂに示すように、カーラー２０の本体部２１の貫通孔２３の内部面に前記係止突起３３が係止されながら固定されるように構成される。
【００３５】
前記のように構成された本発明のカーラー２０は、図１に示すように、前髪を巻いて固定し、所定時間が経過した後、使用者はカーラーを髪から外して前髪が一定のウェーブに成形Ｐされるようにした後、図７のようにカーラー２０に付着された鏡部２４を通じてウェーブの成形Ｐがうまくできたかどうかを確認し、容易に手入れをすることができることになる。
【００３６】
このように、本発明は、カーラーを用いて前髪ウェーブを成形した後、カーラーに付着された鏡を通じてウェーブの状態を直ちに確認して手入れをすることができるようして、使用上の便利を提供する。
【符号の説明】
【００３７】
２０：カーラー
２１：本体部
２２：ブラシ部
２３：貫通孔
２４、２５：鏡部
３０：固定部
３１：本体
３２：安着溝
３３：係止突起
【図１】
2019193773.tif 000003
【図２】
2019193773.tif 000004
【図３】
2019193773.tif 000005
【図４】
2019193773.tif 000006
【図５】
2019193773.tif 000007
【図６】
2019193773.tif 000008
【図７】
2019193773.tif 000009